(57)【特許請求の範囲】
【請求項１】
第１の回路基板と、前記第１の回路基板に設置され前記第１の回路基板に対して一定の角度θで傾斜した端子を有する第１のコネクタと、前記第１の回路基板に装着される第２の回路基板と、前記第２の回路基板に設置された第２のコネクタと、前記第１の回路基板及び前記第２の回路基板に夫々設置され前記第２の回路基板を前記第１の回路基板の面に平行に進入させたときに相互に当接し前記第１の回路基板に対して前記角度θで傾斜した案内面を有する夫々第１の前方案内部及び第２の前方案内部と、前記第１の回路基板及び前記第２の回路基板における前記第２の回路基板の進入方向の後部に夫々設置され前記角度θで傾斜した案内面を有する夫々第１の後方案内部及び第２の後方案内部と、を有し、前記第２の回路基板を進入させたときに前記第１及び第２の前方案内部同士がその案内面で摺動し、前記第１及び第２の後方案内部同士がその案内面で摺動して前記第２の回路基板を前記角度θで決まる斜め下方に案内し、前記第２のコネクタを前記第１のコネクタに結合させることを特徴とする回路基板装置。
【請求項２】
前記第１の回路基板はシャーシ内に配置され、前記第２の回路基板は前記シャーシに設けた開口部から前記第１の回路基板の面に平行に前記シャーシ内に進入させるものであることを特徴とする請求項１に記載の回路基板装置。
【請求項３】
前記第１の前方案内部及び前記第１の後方案内部は、前記シャーシに設置されていることを特徴とする請求項２に記載の回路基板装置。
【請求項４】
前記第２の回路基板は前記第１の回路基板に垂直に装着され、前記第２の前方案内部及び前記第２の後方案内部は、前記第２の回路基板における前記第２のコネクタが設置された面の反対側の面に設置されていることを特徴とする請求項１乃至３のいずれか１項に記載の回路基板装置。
【請求項５】
前記第２の回路基板は前記第１の回路基板に垂直に装着され、前記第２のコネクタは前記第２の回路基板の下端部に設置されていることを特徴とする請求項１乃至３のいずれか１項に記載の回路基板装置。
【請求項６】
前記第２の前方案内部の案内面は、その傾斜方向に沿って延びる突起を有し、前記第１の前方案内部の案内面は、その傾斜方向に沿って延びる溝を有し、前記第２の前方案内部が前記第１の前方案内部に当接したときに前記突起が前記溝に嵌合し、前記突起が前記溝に嵌合した状態で前記第１及び第２の前方案内部が摺動して前記第２の回路基板が斜め下方に案内されることを特徴とする請求項１乃至５のいずれか１項に記載の回路基板装置。
【請求項７】
前記シャーシは、前記第２の回路基板の進入方向に平行な溝を有し、前記第２の回路基板の上端部が前記シャーシの溝に嵌合し、前記第２の回路基板が前記シャーシの溝により前記第１の回路基板に平行に案内されることを特徴とする請求項６に記載の回路基板装置。
【請求項８】
前記第１のコネクタと前記第２のコネクタは、１番目からＮ番目までのＮ個の接続端子を有し、前記第１のコネクタのＮ個の接続端子のうちのＪ番目（Ｊは、１≦Ｊ≦Ｎを満たす整数）の接続端子から、前記角度θに対応する方向に沿って基準線を仮想的に引き、前記第２のコネクタのＮ個の接続端子のうちのＪ番目の接続端子と前記基準線とが重なる位置を設置位置として定めたとき、前記第１及び第２の前方案内部は、前記設置位置で夫々の案内面が接触するように、天板及び前記第２の回路基板に夫々設置され、前記第１及び第２の後方案内部は、前記第１及び第２の前方案内部が夫々の案内面により摺動し、前記第２の回路基板を前記角度θに対応する方向へ導いた際に、夫々の案内面が摺動するように設置されることを特徴とする請求項１乃至７のいずれか１項に記載の回路基板装置。
【請求項９】
第１の回路基板と、前記第１の回路基板に設置され前記第１の回路基板に対して一定の角度θで傾斜した端子を有する第１のコネクタと、前記第１の回路基板に装着される第２の回路基板と、前記第２の回路基板に設置された第２のコネクタと、前記第１の回路基板に設置され前記第１の回路基板に対して前記角度θで傾斜した第１の案内面を有する第１の上案内部と、前記第２の回路基板に設置されその進入方向に対して前記角度θで傾斜する第２及び第３の案内面を有する第２の案内部と、前記第１の回路基板に設置され前記第１の回路基板に対して前記角度θで傾斜した第４の案内面を有する第１の下案内部と、を有し、前記第２の回路基板を前記第１の回路基板の面に平行に進入させたときに前記第２の案内部の前記第２の案内面は前記第１の上案内部の前記第１の案内面と相互に当接し、前記第１の上案内部及び前記第２の案内部同士が前記第１の案内面及び前記第２の案内面で摺動し、前記第２の案内部及び第１の下案内部同士が前記第３の案内面及び前記第４の案内面で摺動して前記第２の回路基板を前記角度θで決まる斜め下方に案内し、前記第２のコネクタを前記第１のコネクタに結合させることを特徴とする回路基板装置。
【請求項１０】
前記第１の上案内部及び前記第１の下案内部は、前記第２の回路基板を前記第１の回路基板の面に平行に進入させたときに前記第１の回路基板における前記第２の回路基板の進入方向後部に設けられ、前記第２の案内部は、前記第２の回路基板を前記第１の回路基板の面に平行に進入させたときに前記第２の回路基板における前記第２の回路基板の進入方向後部に設けられていることを特徴とする請求項９に記載の回路基板装置。
【請求項１１】
前記第１の回路基板はシャーシ内に配置され、前記第２の回路基板は前記シャーシに設けた開口部から前記第１の回路基板の面に平行に前記シャーシ内に進入させるものであることを特徴とする請求項９又は１０に記載の回路基板装置。
【請求項１２】
前記第１の上案内部及び前記第１の下案内部は、前記シャーシに設置されていることを特徴とする請求項１１に記載の回路基板装置。
【請求項１３】
前記第２の回路基板は前記第１の回路基板に垂直に装着され、前記第２の案内部は、前記第２の回路基板における前記第２のコネクタが設置された面の反対側の面に設置されていることを特徴とする請求項９乃至１２のいずれか１項に記載の回路基板装置。
【請求項１４】
前記第２の回路基板は前記第１の回路基板に垂直に装着され、前記第２のコネクタは前記第２の回路基板の下端部に設置されていることを特徴とする請求項９乃至１２のいずれか１項に記載の回路基板装置。
【請求項１５】
前記第１のコネクタと前記第２のコネクタは、１番目からＮ番目までのＮ個の接続端子を有し、前記第１のコネクタのＮ個の接続端子のうちのＪ番目（Ｊは、１≦Ｊ≦Ｎを満たす整数）の接続端子から、前記角度θに対応する方向に沿って基準線を仮想的に引き、前記第２のコネクタのＮ個の接続端子のうちのＪ番目の接続端子と前記基準線とが重なる位置を設置位置として定めたとき、前記第１の上案内部及び前記第２の案内部は、前記設置位置で夫々の案内面が接触するように、天板及び前記第２の回路基板に夫々設置され、前記第２の案内部及び第１の下案内部は、前記第１の上案内部及び前記第２の案内部が夫々の案内面により摺動し、前記第２の回路基板を前記角度θに対応する方向へ導いた際に、夫々の案内面が摺動するように設置されることを特徴とする請求項９乃至１４のいずれか１項に記載の回路基板装置。
【請求項１６】
前記第１のコネクタのＮ個の接続端子と前記第２のコネクタのＮ個の接続端子とを夫々接続するために要する距離を表す嵌合ストロークをＡとし、前記第１のコネクタのＮ個の接続端子と前記第２のコネクタのＮ個の接続端子とを嵌合させるために押し込む力を加える距離を表す押し込み距離をＢとしたとき、前記角度θは、ｔａｎ（θ）＝Ａ／Ｂにより表されることを特徴とする請求項８又は１５に記載の回路基板装置。
【請求項１７】
前記第１のコネクタ及び前記第２のコネクタは、活線挿抜用のコネクタであることを特徴とする請求項１乃至１６のいずれか１項に記載の回路基板装置。
【請求項１８】
前記第１の回路基板はマザーボードであり、前記第２の回路基板はドータカードであることを特徴とする請求項１乃至１７のいずれか１項に記載の回路基板装置。
【請求項１９】
前記ドータカードは前記マザーボードにカードエッジを介して接続するものであることを特徴とする請求項１８に記載の回路基板装置。
【請求項２０】
第１の回路基板に設けられ端子が前記第１の回路基板に対して一定の角度θで傾斜した第１のコネクタに対し、第２の回路基板に設けた第２のコネクタを挿抜する方法であって、前記第２の回路基板を前記第１の回路基板の面に平行に進入させたときに前記第１の回路基板に設けた第１の前方案内部に前記第２の回路基板に設けた第２の前方案内部を当接させ、前記第１及び第２の前方案内部の案内面同士を摺動させて前記第２の回路基板の前部を斜め下方に案内すると共に、前記第１及び第２の回路基板に設けた夫々第１及び第２の後方案内部の案内面同士を摺動させて前記第２の回路基板の後部を斜め下方に案内することにより、前記第２のコネクタを前記第１のコネクタに挿入することを特徴とするコネクタの挿抜方法。
【請求項２１】
前記第２の回路基板を、前記角度θで後方上方に引き抜くことにより、前記第１及び第２の後方案内部同士が摺動し、前記第１及び第２の前方案内部同士が摺動して、前記第２のコネクタを前記第１のコネクタから抜き取ることを特徴とする請求項２０に記載のコネクタの挿抜方法。
【請求項２２】
前記第１の回路基板はシャーシ内に配置され、前記第２の回路基板は前記シャーシに設けた開口部から前記第１の回路基板の面に平行に前記シャーシ内に進入させることにより、前記第２の前方案内部が前記第１の前方案内部に当接することを特徴とする請求項２０又は２１に記載のコネクタの挿抜方法。
【請求項２３】
前記第１のコネクタの１番目からＮ番目までのＮ個の接続端子のうちのＪ番目（Ｊは、１≦Ｊ≦Ｎを満たす整数）の接続端子から、前記角度θに対応する方向に沿って基準線を仮想的に引き、前記第２のコネクタのＮ個の接続端子のうちのＪ番目の接続端子と前記基準線とが重なる位置を設置位置として定め、前記設置位置で夫々の案内面が接触するように、前記第１及び第２の前方案内部を天板及び前記第２の回路基板に夫々設置し、前記第１及び第２の前方案内部が夫々の案内面により摺動し、前記第２の回路基板を前記角度θに対応する方向へ導いた際に、夫々の案内面が摺動するように、前記第１及び第２の後方案内部を設置することを特徴とする請求項２０乃至２２のいずれか１項に記載のコネクタの挿抜方法。
【請求項２４】
第１の回路基板に設けられ端子が前記第１の回路基板に対して一定の角度θで傾斜した第１のコネクタに対し、第２の回路基板に設けた第２のコネクタを挿抜する方法であって、前記第２の回路基板を前記第１の回路基板の面に平行に進入させたときに前記第１の回路基板に設けた第１の上案内部に前記第２の回路基板に設けた第２の案内部を当接させ、前記第１の上案内部の第１の案内面及び前記第２の案内部の第２の案内面同士を摺動させて前記第２の回路基板を斜め下方に誘導すると共に、前記第２の案内部の第３の案内面及び前記第１の下案内部の第４の案内面同士を摺動させ、前記第１の上案内部及び第１の下案内部の間に前記第２の案内部を拘束して前記第２の回路基板を斜め下方に案内することにより、前記第２のコネクタを前記第１のコネクタに挿入することを特徴とするコネクタの挿抜方法。
【請求項２５】
前記第２の回路基板を、前記角度θで後方上方に引き抜くことにより、前記第１の下案内部及び第２の案内部同士が摺動し、前記第１の上案内部及び第２の案内部同士が摺動して、前記第２のコネクタを前記第１のコネクタから抜き取ることを特徴とする請求項２４に記載のコネクタの挿抜方法。
【請求項２６】
前記第１の回路基板はシャーシ内に配置され、前記第２の回路基板は前記シャーシに設けた開口部から前記第１の回路基板の面に平行に前記シャーシ内に進入させることにより、前記第２の案内部が前記第１の上方案内部に当接することを特徴とする請求項２４又は２５に記載のコネクタの挿抜方法。
【請求項２７】
前記第１のコネクタの１番目からＮ番目までのＮ個の接続端子のうちのＪ番目（Ｊは、１≦Ｊ≦Ｎを満たす整数）の接続端子から、前記角度θに対応する方向に沿って基準線を仮想的に引き、前記第２のコネクタのＮ個の接続端子のうちのＪ番目の接続端子と前記基準線とが重なる位置を設置位置として定め、前記設置位置で夫々の案内面が接触するように、前記第１の上案内部及び前記第２の案内部を天板及び前記第２の回路基板に夫々設置し、前記第１の上案内部及び前記第２の案内部が夫々の案内面により摺動し、前記第２の回路基板を前記角度θに対応する方向へ導いた際に、夫々の案内面が摺動するように、前記第２の案内部及び第１の下案内部を設置することを特徴とする請求項２４乃至２６のいずれか１項に記載のコネクタの挿抜方法。
【請求項２８】
前記第１のコネクタのＮ個の接続端子と前記第２のコネクタのＮ個の接続端子とを夫々接続するために要する距離を表す嵌合ストロークをＡとし、前記第１のコネクタのＮ個の接続端子と前記第２のコネクタのＮ個の接続端子とを嵌合させるために押し込む力を加える距離を表す押し込み距離をＢとしたとき、前記角度θは、ｔａｎ（θ）＝Ａ／Ｂにより表されることを特徴とする請求項２３又は２７に記載のコネクタの挿抜方法。
【請求項２９】
前記第２の回路基板を前記第１の回路基板に垂直に装着することを特徴とする請求項２０乃至２８のいずれか１項に記載のコネクタの挿抜方法。
【請求項３０】
前記第１及び第２のコネクタを活線挿抜することを特徴とする請求項２０乃至２９のいずれか１項に記載のコネクタの挿抜方法。
【発明の詳細な説明】
【技術分野】
【０００１】
本発明は、コネクタを介してドータカードをマザーボードに取り外し可能に接続する際のコネクタ接続方法に関する。
【背景技術】
【０００２】
コンピュータシステムは、１つ又は複数のプリント配線基板を有しており、これらは、一般にマザーボードと呼ばれ、マザーボードにはＣＰＵ（Ｃｅｎｔｒａｌ  Ｐｒｏｃｅｓｓｉｎｇ  Ｕｎｉｔ）及びメモリ等の主要なコンポーネントが搭載される。また、多くの場合に、マザーボードには追加の回路基板が装着可能であり、これにより、コンピュータシステムが標準では備えていない機能を追加することができる。例えば、ＰＣ（Ｐｅｒｓｏｎａｌ  Ｃｏｍｐｕｔｅｒ）では、拡張スロットと呼ばれるインターフェースが設けられており、拡張カードと呼ばれる回路基板を装着することができる。また、マザーボード固有の拡張カードをドータカードと呼ぶことがある。ドータカードは速度の遅い汎用の拡張バスを通してではなく、直接マザーボードの構成要素にアクセスする。ドータカードは、集積コネクタを備えており、これらはマザーボード上の集積コネクタに接続される。
【０００３】
図７は、ユニットシャーシ４１の底面にマザーボード４０が平置きで設置されている例を示している。マザーボードは搭載部品が多くなった場合、垂直に立てるよりも平置きにしたほうが基板面積を大きくすることができるため有利である。マザーボード４０には、直線状に延伸した複数のコネクタ４２が互いに平行に設けられており、これらのコネクタ４２はマザーボードに電気的に接続されている。また、ユニットシャーシ４１は、開口部を除けば側壁と天板を有しており、マザーボード４０はケースに収納された形となっている。
【０００４】
ドータカードは、一般に、比較的小さな矩形の回路基板であり、その一つの側端に沿ってコネクタを有している。このコネクタは、マザーボード上に設けられた対応するコネクタに差し込まれて、ドータカードはコンピュータのマザーボードに接続される。
【０００５】
図７のように設置されたマザーボードにドータカードを接続するには、従来は、図８に示すように、ユニットシャーシの天板５２を固定するネジ５３を外し、天板５２を開けて挿抜を行う必要があった。即ち、ドータカード５０のコネクタ５１をマザーボード４０に設けられたコネクタ４２に接続するためには、ドータカード５０をマザーボード上方に配置し、マザーボード４０に対して垂直な方向に挿抜する必要がある。
【０００６】
これに対して特許文献１では、図７に示すような状況下で、回路カードをマザーボードに取り外し可能に接続する装置を開示している。特許文献１においては、回路カードを支持しマザーボードに平行な方向に沿って所定の位置まで移動させる支持構造体と、回路カードをマザーボードに対して垂直な方向に移動させるアクチュエータとを設けることで、マザーボードが設置されたシャーシの天板を外すことなく、回路カードの接続部分をマザーボードのコネクタに取り外し可能に接続している。
【０００７】
また、特許文献２においては、マザーボードの設置されたケースを開けることなく拡張ボードをマザーボードに設けられたコネクタに挿抜する挿抜機構が開示されている。特許文献２では、拡張ボードをコネクタへの挿抜方向とは直交する方向に移動させる複数のガイドを設け、特に、拡張ボードを下方から支持するガイドの一つにはこのガイドを支持し押し上げるバネが設けられている。更に、拡張ボートを挿入する挿入レバー、及び拡張ボードを取り出す取り出しレバーを設けることにより、拡張ボードの挿抜方向への移動も可能な構造となっている。
【０００８】
【特許文献１】特表２００２−５１２４５４号公報
【特許文献２】特開平１１−３４０６６０号公報
【発明の開示】
【発明が解決しようとする課題】
【０００９】
しかしながら、上述の従来技術には以下に示すような問題点がある。
【００１０】
図７に示すように、マザーボード４０はユニットシャーシ４１の内部に設置されているため、ドータカードを挿抜するためには、図８に示すように、ユニットシャーシ４１の天板５２を外す必要があり、作業に手間がかかった。
【００１１】
また、ＰＣ等を利用する際には、図９に示すように、複数のユニットをラック９０に搭載して設置スペースの効率化を図る場合が多い。図９では、対象ユニット７０の上部に、他のユニット８０が配置されている。この場合は、対象ユニット７０をラック９０から引き出して上部カバーを開けなければならなかった。しかし、活線挿抜装置のように電源を入れたままドータカードの挿抜を行わなければならないときには、天板を外すことができないため、交換が不可能であった。
【００１２】
また、特許文献２に開示された技術によれば、マザーボードの設置されたケースを開けることなく拡張カードの挿抜を行うことができるが、拡張カードの動きをケース内部への出し入れ方向と直交する方向に変換する別機構を設ける必要があり、構造が複雑であった。
【００１３】
本発明はかかる問題点に鑑みてなされたものであって、マザーボードが設置されたシャーシの上部カバーを開けることなくドータカードをマザーボードに挿抜するための回路基板装置及びコネクタの挿抜方法を提供することを目的とする。
【課題を解決するための手段】
【００１４】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１５】
本発明に係る回路基板装置は、第１の回路基板（４）と、前記第１の回路基板（４）に設置され前記第１の回路基板（４）に対して一定の角度θで傾斜した端子を有する第１のコネクタ（３）と、前記第１の回路基板（４）に装着される第２の回路基板（１）と、前記第２の回路基板（１）に設置された第２のコネクタ（２）と、前記第１の回路基板（４）及び前記第２の回路基板（１）に夫々設置され前記第２の回路基板（１）を前記第１の回路基板（４）の面に平行に進入させたときに相互に当接し前記第１の回路基板（４）に対して前記角度θで傾斜した案内面を有する夫々第１の前方案内部（６）及び第２の前方案内部（７）と、前記第１の回路基板（４）及び前記第２の回路基板（１）における前記第２の回路基板（１）の進入方向の後部に夫々設置され前記角度θで傾斜した案内面を有する夫々第１の後方案内部（１６）及び第２の後方案内部（１７）と、を有し、前記第２の回路基板（１）を進入させたときに前記第１及び第２の前方案内部（６、７）同士がその案内面で摺動し、前記第１及び第２の後方案内部（１６、１７）同士がその案内面で摺動して前記第２の回路基板（１）を前記角度θで決まる斜め下方に案内し、前記第２のコネクタ（２）を前記第１のコネクタ（３）に結合させることを特徴とする。
【００１６】
前記第１の回路基板（４）はシャーシ（５）内に配置され、前記第２の回路基板（１）は前記シャーシ（５）に設けた開口部から前記第１の回路基板（４）の面に平行に前記シャーシ（５）内に進入させるものであってよい。
【００１７】
前記第１の前方案内部（６）及び前記第１の後方案内部（１６）は、前記シャーシ（５）に設置することができる。
【００１８】
前記第２の回路基板（１）は前記第１の回路基板（４）に垂直に装着され、前記第２の前方案内部（７）及び前記第２の後方案内部（１７）は、前記第２の回路基板（１）における前記第２のコネクタ（２）が設置された面の反対側の面に設置してもよい。
【００１９】
前記第２の回路基板（１）は前記第１の回路基板（４）に垂直に装着され、前記第２のコネクタ（２）は前記第２の回路基板（１）の下端部に設置してもよい。
【００２０】
前記第２の前方案内部（７）の案内面は、その傾斜方向に沿って延びる突起（２７）を有し、前記第１の前方案内部（６）の案内面は、その傾斜方向に沿って延びる溝（２６）を有し、前記第２の前方案内部（７）が前記第１の前方案内部（６）に当接したときに前記突起（２７）が前記溝（２６）に嵌合し、前記突起（２７）が前記溝（２６）に嵌合した状態で前記第１及び第２の前方案内部（６、７）が摺動して前記第２の回路基板（１）が斜め下方に案内されてもよい。
【００２１】
前記シャーシ（５）は、前記第２の回路基板（１）の進入方向に平行な溝（２５）を有し、前記第２の回路基板（１）の上端部が前記シャーシ（５）の溝（２５）に嵌合し、前記第２の回路基板（１）が前記シャーシ（５）の溝（２５）により前記第１の回路基板（４）に平行に案内されてもよい。
【００２２】
前記第１のコネクタ（３）と前記第２のコネクタ（２）は、１番目からＮ番目までのＮ個の接続端子（１０、９）を有し、前記第１のコネクタ（３）のＮ個の接続端子（１０）のうちのＪ番目（Ｊは、１≦Ｊ≦Ｎを満たす整数）の接続端子（１０）から、前記角度θに対応する方向に沿って基準線（１０２）を仮想的に引き、前記第２のコネクタ（２）のＮ個の接続端子（９）のうちのＪ番目の接続端子（９）と前記基準線（１０２）とが重なる位置を設置位置として定めたとき、前記第１及び第２の前方案内部（６、７）は、前記設置位置で夫々の案内面が接触するように、天板（８）及び前記第２の回路基板（１）に夫々設置され、前記第１及び第２の後方案内部（１６、１７）は、前記第１及び第２の前方案内部（６、７）が夫々の案内面により摺動し、前記第２の回路基板（１）を前記角度θに対応する方向へ導いた際に、夫々の案内面が摺動するように設置される。
【００２３】
本発明に係る回路基板装置は、第１の回路基板（４）と、前記第１の回路基板（４）に設置され前記第１の回路基板（４）に対して一定の角度θで傾斜した端子を有する第１のコネクタ（３）と、前記第１の回路基板（４）に装着される第２の回路基板（１）と、前記第２の回路基板（１）に設置された第２のコネクタ（２）と、前記第１の回路基板（４）に設置され前記第１の回路基板（４）に対して前記角度θで傾斜した第１の案内面を有する第１の上案内部（２０）と、前記第２の回路基板（１）に設置されその進入方向に対して前記角度θで傾斜する第２及び第３の案内面を有する第２の案内部（１７）と、前記第１の回路基板（４）に設置され前記第１の回路基板（４）に対して前記角度θで傾斜した第４の案内面を有する第１の下案内部（１６）と、を有し、前記第２の回路基板（１）を前記第１の回路基板（４）の面に平行に進入させたときに前記第２の案内部（１７）の前記第２の案内面は前記第１の上案内部（２０）の前記第１の案内面と相互に当接し、前記第１の上案内部（２０）及び前記第２の案内部（１７）同士が前記第１の案内面及び前記第２の案内面で摺動し、前記第２の案内部（１７）及び第１の下案内部（１６）同士が前記第３の案内面及び前記第４の案内面で摺動して前記第２の回路基板（１）を前記角度θで決まる斜め下方に案内し、前記第２のコネクタ（２）を前記第１のコネクタ（３）に結合させることを特徴とする。
【００２４】
前記第１の上案内部（２０）及び前記第１の下案内部（１６）は、前記第２の回路基板（１）を前記第１の回路基板（４）の面に平行に進入させたときに前記第１の回路基板（４）における前記第２の回路基板（１）の進入方向後部に設けられ、前記第２の案内部（１７）は、前記第２の回路基板（１）を前記第１の回路基板（４）の面に平行に進入させたときに前記第２の回路基板（１）における前記第２の回路基板（１）の進入方向後部に設けることができる。
【００２５】
前記第１の回路基板（４）はシャーシ（５）内に配置され、前記第２の回路基板（１）は前記シャーシ（５）に設けた開口部から前記第１の回路基板（４）の面に平行に前記シャーシ（５）内に進入させるものであってよい。
【００２６】
前記第１の上案内部（２０）及び前記第１の下案内部（１６）は、前記シャーシ（５）に設置することができる。
【００２７】
前記第２の回路基板（１）は前記第１の回路基板（４）に垂直に装着され、前記第２の案内部（１７）は、前記第２の回路基板（１）における前記第２のコネクタ（２）が設置された面の反対側の面に設置してもよい。
【００２８】
前記第２の回路基板（１）は前記第１の回路基板（４）に垂直に装着され、前記第２のコネクタ（２）は前記第２の回路基板（１）の下端部に設置してもよい。
【００２９】
前記第１のコネクタ（３）と前記第２のコネクタ（２）は、１番目からＮ番目までのＮ個の接続端子（１０、９）を有し、前記第１のコネクタ（３）のＮ個の接続端子（１０）のうちのＪ番目（Ｊは、１≦Ｊ≦Ｎを満たす整数）の接続端子（１０）から、前記角度θに対応する方向に沿って基準線（１０３）を仮想的に引き、前記第２のコネクタ（２）のＮ個の接続端子（９）のうちのＪ番目の接続端子（９）と前記基準線（１０３）とが重なる位置を設置位置として定めたとき、前記第１の上案内部（２０）及び前記第２の案内部（１７）は、前記設置位置で夫々の案内面が接触するように、天板（８）及び前記第２の回路基板（１）に夫々設置され、前記第２の案内部（１７）及び第１の下案内部（１６）は、前記第１の上案内部（２０）及び前記第２の案内部（１７）が夫々の案内面により摺動し、前記第２の回路基板（１）を前記角度θに対応する方向へ導いた際に、夫々の案内面が摺動するように設置される。
【００３０】
前記第１のコネクタ（３）のＮ個の接続端子（１０）と前記第２のコネクタ（２）のＮ個の接続端子（９）とを夫々接続するために要する距離を表す嵌合ストローク（１００）をＡとし、前記第１のコネクタ（３）のＮ個の接続端子（１０）と前記第２のコネクタ（２）のＮ個の接続端子（９）とを嵌合させるために押し込む力を加える距離を表す押し込み距離（１０１）をＢとしたとき、前記角度θは、ｔａｎ（θ）＝Ａ／Ｂにより表される。
【００３１】
前記第１のコネクタ（３）及び前記第２のコネクタ（２）は、活線挿抜用のコネクタとすることができる。
【００３２】
前記第１の回路基板（４）はマザーボードであり、前記第２の回路基板（１）はドータカードであってもよい。
【００３３】
前記ドータカードは前記マザーボードにカードエッジを介して接続するものであってもよい。
【００３４】
本発明に係るコネクタの挿抜方法は、第１の回路基板（４）に設けられ端子が前記第１の回路基板（４）に対して一定の角度θで傾斜した第１のコネクタ（３）に対し、第２の回路基板（１）に設けた第２のコネクタ（２）を挿抜する方法であって、前記第２の回路基板（１）を前記第１の回路基板（４）の面に平行に進入させたときに前記第１の回路基板（４）に設けた第１の前方案内部（６）に前記第２の回路基板（１）に設けた第２の前方案内部（７）を当接させ、前記第１及び第２の前方案内部（６、７）の案内面同士を摺動させて前記第２の回路基板（１）の前部を斜め下方に案内すると共に、前記第１及び第２の回路基板（１）に設けた夫々第１及び第２の後方案内部（１６、１７）の案内面同士を摺動させて前記第２の回路基板（１）の後部を斜め下方に案内することにより、前記第２のコネクタ（２）を前記第１のコネクタ（３）に挿入することを特徴とする。
【００３５】
前記第２の回路基板（１）を、前記角度θで後方上方に引き抜くことにより、前記第１及び第２の後方案内部（１６、１７）同士が摺動し、前記第１及び第２の前方案内部（６、７）同士が摺動して、前記第２のコネクタ（２）を前記第１のコネクタ（３）から抜き取ることができる。
【００３６】
前記第１の回路基板（４）はシャーシ（５）内に配置され、前記第２の回路基板（１）は前記シャーシ（５）に設けた開口部から前記第１の回路基板（４）の面に平行に前記シャーシ（５）内に進入させることにより、前記第２の前方案内部（７）が前記第１の前方案内部（６）に当接することができる。
【００３７】
前記第１のコネクタ（３）の１番目からＮ番目までのＮ個の接続端子（１０）のうちのＪ番目（Ｊは、１≦Ｊ≦Ｎを満たす整数）の接続端子（１０）から、前記角度θに対応する方向に沿って基準線（１０２）を仮想的に引き、前記第２のコネクタ（２）のＮ個の接続端子（９）のうちのＪ番目の接続端子（９）と前記基準線（１０２）とが重なる位置を設置位置として定め、前記設置位置で夫々の案内面が接触するように、前記第１及び第２の前方案内部（６、７）を天板（８）及び前記第２の回路基板（１）に夫々設置し、前記第１及び第２の前方案内部（６、７）が夫々の案内面により摺動し、前記第２の回路基板（１）を前記角度θに対応する方向へ導いた際に、夫々の案内面が摺動するように、前記第１及び第２の後方案内部（１６、１７）を設置することを特徴とする。
【００３８】
本発明に係るコネクタの挿抜方法は、第１の回路基板（４）に設けられ端子が前記第１の回路基板（４）に対して一定の角度θで傾斜した第１のコネクタ（３）に対し、第２の回路基板（１）に設けた第２のコネクタ（２）を挿抜する方法であって、前記第２の回路基板（１）を前記第１の回路基板（４）の面に平行に進入させたときに前記第１の回路基板（４）に設けた第１の上案内部（２０）に前記第２の回路基板（１）に設けた第２の案内部（１７）を当接させ、前記第１の上案内部（２０）の第１の案内面及び前記第２の案内部（１７）の第２の案内面同士を摺動させて前記第２の回路基板（１）を斜め下方に誘導すると共に、前記第２の案内部（１７）の第３の案内面及び前記第１の下案内部（１６）の第４の案内面同士を摺動させ、前記第１の上案内部（２０）及び第１の下案内部（１６）の間に前記第２の案内部（１７）を拘束して前記第２の回路基板（１）を斜め下方に案内することにより、前記第２のコネクタ（２）を前記第１のコネクタ（３）に挿入することを特徴とする。
【００３９】
前記第２の回路基板（１）を、前記角度θで後方上方に引き抜くことにより、前記第１の下案内部（１６）及び第２の案内部（１７）同士が摺動し、前記第１の上案内部（２０）及び第２の案内部（１７）同士が摺動して、前記第２のコネクタ（２）を前記第１のコネクタ（３）から抜き取ることができる。
【００４０】
前記第１の回路基板（４）はシャーシ（５）内に配置され、前記第２の回路基板（１）は前記シャーシ（５）に設けた開口部から前記第１の回路基板（４）の面に平行に前記シャーシ（５）内に進入させることにより、前記第２の案内部（１７）が前記第１の上方案内部に当接することができる。
【００４１】
前記第１のコネクタ（３）の１番目からＮ番目までのＮ個の接続端子（１０）のうちのＪ番目（Ｊは、１≦Ｊ≦Ｎを満たす整数）の接続端子（１０）から、前記角度θに対応する方向に沿って基準線（１０３）を仮想的に引き、前記第２のコネクタ（２）のＮ個の接続端子（９）のうちのＪ番目の接続端子（９）と前記基準線（１０３）とが重なる位置を設置位置として定め、前記設置位置で夫々の案内面が接触するように、前記第１の上案内部（２０）及び前記第２の案内部（１７）を天板（８）及び前記第２の回路基板（１）に夫々設置し、前記第１の上案内部（２０）及び前記第２の案内部（１７）が夫々の案内面により摺動し、前記第２の回路基板（１）を前記角度θに対応する方向へ導いた際に、夫々の案内面が摺動するように、前記第２の案内部（１７）及び第１の下案内部（１６）を設置することを特徴とする。
【００４２】
前記第１のコネクタ（３）のＮ個の接続端子（１０）と前記第２のコネクタ（２）のＮ個の接続端子（９）とを夫々接続するために要する距離を表す嵌合ストローク（１００）をＡとし、前記第１のコネクタ（３）のＮ個の接続端子（１０）と前記第２のコネクタ（２）のＮ個の接続端子（９）とを嵌合させるために押し込む力を加える距離を表す押し込み距離（１０１）をＢとしたとき、前記角度θは、ｔａｎ（θ）＝Ａ／Ｂにより表されることを特徴とする。
【００４３】
前記第２の回路基板（１）を前記第１の回路基板（４）に垂直に装着することができる。
【００４４】
前記第１及び第２のコネクタ（３、２）を活線挿抜することができる。
【発明の効果】
【００４５】
本発明によれば、ドータカード（１）をシャーシ（５）内に設置されたマザーボード（４）に挿抜する際に、マザーボード（４）の面に対して一定の角度で傾斜した接続端子を有するコネクタ（２、３）を夫々ドータカード（１）及びマザーボード（４）に設け、更に、前記角度で傾斜した案内面を有する案内部を夫々ドータカード（１）及びマザーボード（４）に設けることで、シャーシ（５）の上部カバーを開けることなくドータカード（１）をマザーボード（４）に挿抜することができる。
【発明を実施するための最良の形態】
【００４６】
以下、本発明の実施形態について添付の図面を参照して詳細に説明する。先ず、本発明の第１の実施形態に係る回路基板装置について説明する。図１（ａ）は、本発明の第１の実施形態に係る回路基板装置を示す側面図（断面図）であり、図１（ｂ）はその正面図である。また、図６は、ユニットシャーシ内に設置されたマザーボードにドータカードを挿抜する場合の斜視図である。
【００４７】
図１（ａ）に示すように、ユニットシャーシ５の底板上にはマザーボード４が設置されており、マザーボード４上にはコネクタ３が設けられている。コネクタ３はドータカード接続用のコネクタであり、その接続端子はマザーボードに対して一定の角度θで傾斜し櫛状に形成されている。また、ユニットシャーシ５上にはマザーボード４の面に対して角度θで傾斜した案内面を有する案内部１６が設けられている。更に、ユニットシャーシ５の天板８の下面には、同様に角度θで傾斜した案内面を有する案内部６が設けられている。
【００４８】
ドータカード１は矩形の回路基板であり、マザーボード４に対して垂直にユニットシャーシ５内に配置されている。ドータカード１の下端にはコネクタ２が設けられており、コネクタ２はコネクタ３に接続されるようにマザーボード４の面に対して角度θで傾斜した櫛状の接続端子を有する。
【００４９】
ドータカード１をマザーボード４に装着する際には、ドータカード１をマザーボード４の面に平行に進行方向１１に従ってユニットシャーシ５へ進入させる。ドータカード１の進入方向前方部には、マザーボード４の面に対して角度θで傾斜した案内面を有する案内部７が設けられており、案内部７及び６は、ドータカード１をマザーボード４の面に平行に進入させたときに相互に当接し、その案内面で摺動してドータカード１を角度θで決まる斜め下方に導く。更に、ドータカード１の進入方向後方部には、マザーボード４の面に対して角度θで傾斜した案内面を有する案内部１７が設けられており、案内部１７及び１６同士は、その案内面で摺動してドータカード１を角度θで決まる斜め下方に導く。
【００５０】
図１（ｂ）は、本実施形態を正面側、即ち、ユニットシャーシ５の開口部側から見た場合の正面図である。図１（ｂ）に示すように、ユニットシャーシ５上にはマザーボード４が設置されており、マザーボード４上には、コネクタ３が二カ所に設けられている。また、これらのコネクタ３に隣接して、ユニットシャーシ５上には夫々案内部１６が立設されている。また、ユニットシャーシ５の天板８の下面には案内部６が設けられている。マザーボード４の上方には２枚のドータカード１が配置されており、ドータカード１の側面下部には夫々コネクタ２が設けられ、コネクタ３と嵌合自在に接続される。また、ドータカード１のコネクタ２が設けられた側面とは反対側の側面に設けられた案内部７及び１７は、夫々案内部６及び１６と互いに接している。
【００５１】
ここで、コネクタ２及び３の詳細について説明する。図２（ａ）は、本実施形態におけるコネクタの詳細を示す側面図（断面図）である。図２（ａ）に示すように、コネクタ２には櫛状の接続端子として１番目からＮ番目までのＮ個の接続端子９が形成されており、接続端子９の先端部は左斜め下方に傾斜している。前述のように、この傾斜角度は、マザーボード４の面に対して角度θである。同様に、コネクタ３にも櫛状の接続端子として１番目からＮ番目までのＮ個の接続端子１０が形成されており、角度θで右斜め上方に傾斜している。複数の接続端子９は筒形状であり、その筒の内部に嵌るようにしてＮ個の接続端子１０は夫々Ｎ個の接続端子９に接続される。図２（ｂ）は、（ａ）を正面から見た場合の図である。図２（ｂ）に示すように、コネクタ２はドータカード１の側面に形成されているため、接続端子９はドータカードに垂直に延びた後に屈曲し、下方に延びている。一方、コネクタ３はマザーボード４上に設けられているため、接続端子１０はマザーボード４から上方に向かって延びている。
【００５２】
次に、本実施形態の動作について説明する。先ず、図６について説明する。図６に示すように、コネクタ３が設けられたマザーボード４は、天板を有するユニットシャーシ５内に設置されている。水平に設置されたマザーボード４に対して垂直に配置されたドータカード１の下端にはコネクタ２が設けられており、ドータカード１をユニットシャーシ５の正面（又は背面（図示せず））に設けられた開口部から、水平方向に力を加えることでユニットシャーシ５内へ挿入する。
【００５３】
水平方向に力を加えることでユニットシャーシ５内に進入したドータカード１は、図１（ａ）に示すように、先ず、案内部６及び７が相互に当接し、次に、案内部６及び７同士がその案内面で摺動して、ドータカード１を角度θで決まる斜め下方に導き、また、案内部１６及び１７同士がその案内面で摺動して、ドータカード１を角度θで決まる斜め下方に導く。そして、角度θで決まる斜め下方に案内されたドータカード１のコネクタ２はマザーボード４上に設けられたコネクタ３に接続される。また、上述と逆の動作を辿ることにより、ドータカード１をマザーボード４から抜去することができる。即ち、マザーボード４に対して傾斜した案内部により、水平方向に加えられた力が斜め方向に変換され、その結果、垂直方向への移動がもたらされる。コネクタ２及び３は同一の傾斜角度で傾斜した接続端子を有しているため、ドータカード１をこの傾斜角度でスライド移動させることにより、コネクタ２とコネクタ３との挿抜が可能となる。
【００５４】
このように、コネクタは傾斜した端子を有しており、ドータカード１をユニットシャーシ５の正面（又は背面）から押し込むと、そのまま押し続けるだけで案内部に沿ってコネクタ同士が嵌合できるようになっている。また、抜去するときも、カードを正面側（又は背面側）に引っ張るだけで、案内部に沿って抜去が可能となる。
【００５５】
次に、本実施形態の効果について説明する。本実施形態によれば、同じ角度で傾斜した接続端子を有するコネクタを夫々ドータカード及びマザーボードに設け、更に、この角度で傾斜した案内面を有する二つの案内部を夫々ドータカード及びユニットシャーシに設けることで、活線挿抜等でユニットシャーシの上部カバーを外せない状態でのドータカードのマザーボードへの挿入及び抜去が可能となる。また、案内部の案内面が傾斜しているので、ドータカードに水平に押す力をそのまま斜め方向に変換できる。更にまた、垂直方向への移動は、傾斜した案内部のみを設けることにより実現されるので、従来技術のように、複雑な挿抜機構が不要となる。
【００５６】
次に、第１の実施形態の変形例について述べる。図５は、本変形例に係る案内部の構造を示す斜視図である。図５に示すように、本変形例においては、ユニットシャーシの天板（図示せず）の下面に、直線状に延伸する案内部２８が設けられており、案内部２８の下面には案内部２８の延伸方向に平行に延びる溝２５が形成されている。この溝２５はドータカード１の上端と嵌合するようになっており、ドータカード１の上端をこの溝２５に嵌合し摺動させることで、ドータカード１をマザーボードの面に平行に移動させることができる。
【００５７】
ドータカード１及びユニットシャーシの天板には、第１の実施形態と同様に、夫々案内部７及び６が設けられ、これらの案内部の案内面はマザーボードの面に対して角度θで傾斜している。図５に示すように、ドータカード１に設けられた案内部７の案内面上には、案内面の傾斜方向に沿って直線上に延伸する突起２７が形成されており、この突起２７に嵌合するように、ユニットシャーシの天板に設けられた案内部６の案内面には溝２６が形成されている。また、案内部７の上部はドータカード１の上端には達しておらず、ドータカード１を案内部２８に従って移動させるときに、案内部７と案内部２８とが接触しない構成となっている。また、図示はしていないが、ドータカード１及びユニットシャーシの底板には、夫々図１における案内部１７及び１６が設けられており、これらに対しても夫々突起及び溝が形成されている。
【００５８】
案内部２８と案内部６との配置関係は、ドータカード１を案内部２８に従ってユニットシャーシ内へ移動させたときに、ドータカード１の側面に設けられた案内部７の突起２７と案内部６の溝２６とが嵌合するような配置関係である。他の構成は第１の実施形態の構成と同様であるため、図５においては、コネクタ等の構成要素は省略している。
【００５９】
次に、本変形例の動作について説明する。ユニットシャーシ内に水平に設置されたマザーボードに対して垂直に配置されたドータカード１を、マザーボードの面に対して平行にユニットシャーシ内に挿入する。その際、ドータカード１の上端を案内部２８の溝２５に嵌め込み、ドータカード１の上端と案内部２８を摺動させならが、ドータカード１をマザーボードの面に平行に移動させる。案内部２８に従ってドータカード１を移動させ、ドータカード１の案内部７の突起２７と、ユニットシャーシの天板に設けられた案内部６の溝２６とを嵌合させ、案内部７の案内面と案内部６の案内面とを互いに当接させる。更に、ドータカード１に水平方向の力を加えることで、案内部同士がその案内面で摺動して、ドータカード１を角度θで決まる斜め下方に導く。図示していないドータカードの案内部及びユニットシャーシの底板に設けられた案内部に対しても同様である。その他の動作は第１の実施形態の動作と同様である。また、上記とは逆の操作を辿ることで、ドータカード１をマザーボードから抜去することができる。
【００６０】
次に、本変形例の効果について説明する。ドータカード１の案内部７の案内面に突起２７が形成され、ユニットシャーシの案内部６の案内面に溝２６が形成されているため、これらの突起２７及び溝２６を嵌合させてドータカード１を斜め下方へ移動させることにより、ドータカード１をより確実にマザーボードに装着することができる。また、突起２７と溝２６との嵌合は、ユニットシャーシの天板に案内部２８を設けることで容易に行うことができる。本変形例のその他の効果は、第１の実施形態の効果と同様である。
【００６１】
次に、本発明の第２の実施形態に係る回路基板装置について説明する。図３（ａ）は、本発明の第２の実施形態に係る回路基板装置を示す側面図（断面図）であり、図３（ｂ）はその正面図である。
【００６２】
図３（ａ）に示すように、本実施形態においては、案内部の配置構造が第１の実施形態とは異なる。即ち、ドータカード１の案内部は案内部１７のみであり、ドータカード１の進入方向の後方部に設けられている。案内部１７は、マザーボード４の面に対して角度θで傾斜した案内面を案内部１７の上面及び下面の双方に有する。以下、案内部１７の上面に形成された案内面を上方案内面といい、案内部１７の下面に形成された案内面を下方案内面という。
【００６３】
ユニットシャーシ５上には、第１の実施形態と同様に、案内部１６が設けられている。案内部１６は、ユニットシャーシ５の開口部に隣接して立設しており、マザーボード４の面に対して角度θで傾斜した案内面を有する。また、この案内部１６の上方で、天板８の下面には案内部２０が設けられており、案内部２０は下方に延びており、その下面にはマザーボード４の面に対して角度θで傾斜した案内面を有する。図３（ａ）に示すように、ドータカード１の着脱の際には、ドータカード１の案内部１７の上方案内面は、案内部２０の案内面と接し、ドータカード１の案内部１７の下方案内面は、案内部１６の案内面と接し、案内部１７は案内部２０及び案内部１６により挟持される。その他の構成は、図１（ａ）における第１の実施形態の構成と同様であるため、同一の構成物には同一の符号を付して詳細な説明を省略する。また、図３（ｂ）の正面図においても同様であり、案内部１６の上方に案内部２０が設けられ、案内部１６と案内部２０との間にドータカード１の案内部１７が配置されている点を除けば、図１（ｂ）の構成と同様である。
【００６４】
次に、本実施形態の動作について図３（ａ）を参照して説明する。ユニットシャーシ５内に水平に設置されたマザーボード４に対して垂直に配置されたドータカード１を、マザーボード４の面に対して平行にユニットシャーシ５内に挿入する。ドータカード１の案内部１７の上方案内面は、天板８に設けられた案内部２０の案内面と当接し、次に、案内部１７及び案内部２０がその案内面同士で摺動して、ドータカード１を角度θで決まる斜め下方に導く。更に、案内部１７の下方案内面及びユニットシャーシ５に設けられた案内部１６の案内面同士が摺動して、ドータカード１を角度θで決まる斜め下方に導く。これに続く、コネクタ同士の装着は第１の実施形態の動作と同様である。また、ドータカード１の抜去時には、先ず案内部１７の下方案内面が案内部１６の案内面と当接し、案内部１７及び案内部１６がその案内面同士で摺動して、ドータカード１を角度θで決まる斜め上方に導き、次に、案内部１７及び案内部２０がその案内面同士で摺動して、ドータカード１を角度θで決まる斜め上方に導く。
【００６５】
次に、本実施形態の効果について説明する。本実施形態においては、ドータカードに設けられた案内部の数が１つであり、第１の実施形態よりも簡素な構成となっており、製造コストも低減する。また、第１の実施形態においては、ドータカードの案内部が２カ所に設けられており、これに対応してユニットシャーシにも案内部が２カ所に設けられている。このため、使用できるドータカードの大きさは、これらの案内部の配置関係により制限される。しかしながら、本実施形態においては、案内部の箇所が１箇所であるため、このような大きさに対する制限がより少ない。
【００６６】
なお、本実施形態においては、案内部１６、１７、２０をドータカード１のユニットシャーシ５への進入方向後方部に設けたが、これに限らず他の場所に設けてもよい。
【００６７】
本発明の第３の実施形態に係る回路基板装置について説明する。図４（ａ）は、本発明の第３の実施形態に係る回路基板装置を示す側面図（断面図）であり、図４（ｂ）はその正面図である。
【００６８】
本実施形態の特徴は、ドータカードに設けられたコネクタがカードエッジタイプである点である。図４（ａ）に示すように、ドータカード１の下端には、コネクタ２１が設けられているが、このコネクタ２１は、図４（ｂ）の正面図に示すように、カードの下部のエッジに形成されたコネクタである。一方、第１の実施形態のコネクタ２は、図１（ｂ）の正面図に示すように、ドータカードの側面に形成されているものである。以上の点を除けば、その他の構成は第１の実施形態の構成と同様であり、図１（ａ）及び（ｂ）と同一の構成物には同一の符号を付して詳細な説明は省略する。なお、図４（ｂ）では、案内部６、７を省略している。また、本実施形態の動作も第１の実施形態の動作と同様である。また、本実施形態は、第１の実施形態と同様の効果を奏し、更に、コネクタがドータカードの下端に取り付けられ、コネクタの厚さはドータカードの厚さに等しいため、ドータカードをマザーボードに装着する際のスペースの効率化につながる。
【００６９】
次に、図１０（ａ）、（ｂ）を参照して、角度θの決定方式について説明する。
【００７０】
上述のように、案内部６、７、１６、１７及び２０の各案内面の角度θは、接続端子９、１０の角度θと同一である。この角度θは、図１０（ａ）、（ｂ）の嵌合ストローク１００と押し込み距離１０１との比に基づいて決定される。嵌合ストローク１００は、接続端子９と１０を接続するために要する距離を表す。押し込み距離１０１は、接続端子９と１０を嵌合させるために押し込む力を加える距離を表す。
【００７１】
嵌合ストローク１００（Ａとする）、押し込み距離１０１（Ｂとする）及び角度θの関係は、以下の式１により表される。
【００７２】
ｔａｎ（θ）＝Ａ／Ｂ  ・・・・  式１
【００７３】
θを大きくすると、Ｂは小さくなる。よって、θを大きくすると、コネクタ２とコネクタ３の接続に必要な力は大きくなる。θを小さくすると、Ｂは大きくなる。つまり、θを小さくすると、コネクタ２とコネクタ３を接続するために必要な力を加える距離Ｂが大きくなる。よって、コネクタ２とコネクタ３の接続に必要な力は、小さくなる。
【００７４】
一方、θを小さくすると、各案内部６、７、１６、１７及び２０を、ドータカード１やマザーボード４に対して設置するために必要な面積が増大する。これにより、ドータカード１やマザーボード４における部品搭載領域を面積が、少なくなる。
【００７５】
よって、角度θは、コネクタの接続に必要な力と各案内部の面積が最適となるように設定することが望ましい。例えば、角度θが４５°〜６０°の範囲である場合、コネクタの接続に必要な力と各案内部の面積が最適となる可能性が高い。
【００７６】
次に、図１１（ａ）、（ｂ）及び図１２（ａ）、（ｂ）を参照し、各案内部６、７、１６、１７及び２０の設置位置の決定方式を説明する。
【００７７】
まず、第１の実施形態における案内部６、７、１６、１７の設置位置の決定方式について説明する。図１１（ａ）、（ｂ）に示すように、コネクタ３の上記Ｎ個の接続端子１０のうちのＪ番目（Ｊは、１≦Ｊ≦Ｎを満たす整数）の接続端子１０から、角度θに対応する方向に沿って基準線１０２を仮想的に引く。そして、コネクタ２の上記Ｎ個の接続端子９のうちのＪ番目の接続端子９と基準線１０２とが重なる位置を設置位置として定める。このとき、案内部６と案内部７は、この設置位置で夫々の案内面が接触するように、天板８及びドータカード１に夫々設置される。また、案内部１６と案内部１７は、案内部６と案内部７が夫々の案内面により摺動し、ドータカード１を角度θに対応する方向へ導いた際に、夫々の案内面が摺動するように設置される。
【００７８】
次に、第２の実施形態における案内部１６、１７、２０の設置位置の決定方式について説明する。図１２（ａ）、（ｂ）に示すように、コネクタ３の上記Ｎ個の接続端子１０のうちのＪ番目（Ｊは、１≦Ｊ≦Ｎを満たす整数）の接続端子１０から、角度θに対応する方向に沿って基準線１０３を仮想的に引く。そして、コネクタ２の上記Ｎ個の接続端子９のうちのＪ番目の接続端子９と基準線１０３とが重なる位置を設置位置として定める。このとき、案内部２０と案内部１７は、この設置位置で夫々の案内面が接触するように、天板８及びドータカード１に夫々設置される。また、案内部１７と案内部１６は、案内部２０と案内部１７が夫々の案内面により摺動し、ドータカード１を角度θに対応する方向へ導いた際に、夫々の案内面が摺動するように設置される。
【００７９】
以上、実施形態においては、ドータカードをマザーボードに接続する場合を例に説明したが、本発明はこれに限定されず、一般に、回路基板等を電子デバイスに接続する場合に適用可能である。更に、本発明の接続方法は、電子機器の接続に限らず、装着部品の挿抜方向と出し入れ方向とが直交するような状況下における接続に対して好適に使用することができる。
【図面の簡単な説明】
【００８０】
【図１】（ａ）本発明の第１の実施形態に係る回路基板装置を示す側面図（断面図）、（ｂ）本発明の第１の実施形態に係る回路基板装置を示す正面図である。
【図２】（ａ）第１の実施形態におけるコネクタの詳細を示す側面図（断面図）、（ｂ）第１の実施形態におけるコネクタの詳細を示す正面図である。
【図３】（ａ）本発明の第２の実施形態に係る回路基板装置を示す側面図（断面図）、（ｂ）本発明の第２の実施形態に係る回路基板装置を示す正面図である。
【図４】（ａ）本発明の第３の実施形態に係る回路基板装置を示す側面図（断面図）、（ｂ）本発明の第３の実施形態に係る回路基板装置を示す正面図である。
【図５】本発明の第１の実施形態の変形例に係る案内部の構造を示す斜視図である。
【図６】ユニットシャーシ内に設置されたマザーボードにドータカードを挿抜する場合の斜視図である。
【図７】ユニットシャーシ内に設置されたマザーボードを示す斜視図である。
【図８】従来のドータカードの挿抜方法を示す斜視図である。
【図９】対象ユニット上に他のユニットが搭載された例を示す斜視図である。
【図１０】（ａ）本発明の第１の実施形態に係る回路基板装置を示す側面図（断面図）、（ｂ）本発明の第１の実施形態に係る回路基板装置を示す正面図である。
【図１１】（ａ）本発明の第１の実施形態に係る回路基板装置を示す側面図（断面図）、（ｂ）本発明の第１の実施形態に係る回路基板装置を示す正面図である。
【図１２】（ａ）本発明の第２の実施形態に係る回路基板装置を示す側面図（断面図）、（ｂ）本発明の第２の実施形態に係る回路基板装置を示す正面図である。
【符号の説明】
【００８１】
１；ドータカード
２、３、２１、２３；コネクタ
４；マザーボード
５；ユニットシャーシ
６、７、１６、１７、２０、２８；案内部
８；天板
９、１０；接続端子
１１；進行方向
２５、２６；溝
２７；突起
４０；マザーボード
４１；ユニットシャーシ
４２；コネクタ
５０；ドータカード
５１；コネクタ
５２；天板
５３；ネジ
７０；対象ユニット
８０；他のユニット
９０；ラック
１００；嵌合ストローク
１０１；押し込み距離
１０２、１０３；基準線
【図１】
0004711194.tif 000002
【図２】
0004711194.tif 000003
【図３】
0004711194.tif 000004
【図４】
0004711194.tif 000005
【図５】
0004711194.tif 000006
【図６】
0004711194.tif 000007
【図７】
0004711194.tif 000008
【図８】
0004711194.tif 000009
【図９】
0004711194.tif 000010
【図１０】
0004711194.tif 000011
【図１１】
0004711194.tif 000012
【図１２】
0004711194.tif 000013